(57)【要約】【課題】  設置工程及び設置時間を減らしながら、コンクリート製の部材を的確且つ強固に接合することが可能なプレキャスト部材及びコンクリート部材の接合構造を提供する。【解決手段】  プレキャスト部材１０は、角柱状の柱状部２１及び柱状部２１から側方に突出する台状部２２を有するコンクリート部２０と、少なくとも１組の外側接合部３１ａ及び内側接合部３１ｂを有する接合部３０と、を備え、外側接合部３１ａは、少なくとも一部に外側接合ループ部３１ａ１が形成され、内側接合部３１ｂは、少なくとも一部に外側接合ループ部３１ａ１に囲まれる内側接合ループ部３１ｂ１が形成されることを特徴とする。【選択図】図７
2020090884.tif 000002
【特許請求の範囲】
【請求項１】
（図３〜３２のプレキャスト部材）
角柱状の柱状部及び前記柱状部から側方に突出する台状部を有するコンクリート部と、
少なくとも１組の外側接合部及び内側接合部を有する接合部と、
を備え、
前記外側接合部は、少なくとも一部に外側接合ループ部が形成され、
前記内側接合部は、少なくとも一部に前記外側接合ループ部に囲まれる内側接合ループ部が形成される
ことを特徴とするプレキャスト部材。
【請求項２】
前記外側接合ループ部及び前記内側接合ループ部は、前記コンクリート部から突出して形成される
ことを特徴とする請求項１に記載のプレキャスト部材。
【請求項３】
前記柱状部の水平断面は、多角形に形成され、
前記多角形を形成する外側面に対応して前記台状部及び前記接合部が形成される
ことを特徴とする請求項１又は２に記載のプレキャスト部材。
【請求項４】
（図２１〜３２の新たなプレキャスト部材）
前記柱状部は、上柱状部と下柱状部を有し、
前記台状部は、前記下柱状部から側方に突出し、
前記接合部は、前記上柱状部から突出し、
前記下柱状部は、
上端に形成された凸部と、
前記凸部の周囲に埋め込まれた下柱鋼管と、
前記下柱鋼管の内側に設置される柱接合部と、
を有し、
前記上柱状部は、
前記凸部に嵌めこまれる凹部と、
前記凹部の周囲に埋め込まれる上下方向に貫通する複数の中空の上柱鋼管と、
を有し、
前記凸部と前記凹部を嵌めこんだ状態で連続した前記下柱鋼管と前記上柱鋼管に挿入された柱状補強部を備える
ことを特徴とする請求項１乃至３のいずれか１つに記載のプレキャスト部材。
【請求項５】
（図３〜３２の接合部が複数のプレキャスト部材）
前記接合部は、
少なくとも１組の第１外側接合部及び第１内側接合部を有する第１接合部と、
少なくとも１組の第２外側接合部及び第２内側接合部を有する第２接合部と、
を少なくとも含み、
前記第１接合部及び前記第２接合部は一体に形成される
ことを特徴とする請求項１乃至４のいずれか１つに記載のプレキャスト部材。
【請求項６】
（図３〜３２の接合部が複数のプレキャスト部材）
前記第１接合部及び前記第２接合部は交差する
ことを特徴とする請求項５に記載のプレキャスト部材。
【請求項７】
（図３〜３２の梁の本数を限定しない構造）
請求項１乃至４のいずれか１つに記載のプレキャスト部材と、
直方体のコンクリート部及び少なくとも１組の外側被接合部及び内側被接合部を有する被接合部を備え前記台状部の上面に設置される梁と、
前記プレキャスト部材と前記梁とを接合する接合充填部と、
を備え、
前記外側被接合部は、少なくとも一部に外側被接合ループ部が形成され、
前記内側被接合部は、少なくとも一部に前記外側被接合ループ部に囲まれる内側被接合ループ部が形成され、
前記プレキャスト部材と前記梁は、前記接合充填部内において前記接合部の前記外側接合ループ部及び前記内側接合ループ部が形成する仮想面と前記被接合部の前記外側被接合ループ部及び前記内側被接合ループ部が形成する仮想面がそれぞれ並列するように設置される
ことを特徴とするコンクリート部材の接合構造。
【請求項８】
（図３〜３２の梁が複数の構造）
請求項５又は６に記載のプレキャスト部材と、
直方体のコンクリート部及び少なくとも１組の外側被接合部及び内側被接合部を有する被接合部を備え前記台状部の上面に設置される梁と、
前記プレキャスト部材と前記梁とを接合する接合充填部と、
を備え、
前記外側被接合部は、少なくとも一部に外側被接合ループ部が形成され、
前記内側被接合部は、少なくとも一部に前記外側被接合ループ部に囲まれる内側被接合ループ部が形成され、
前記プレキャスト部材と前記梁は、前記接合充填部内において前記接合部の前記外側接合ループ部及び前記内側接合ループ部が形成する仮想面と前記被接合部の前記外側被接合ループ部及び前記内側被接合ループ部が形成する仮想面がそれぞれ並列するように設置され、
前記梁は、少なくとも第１梁及び第２梁を含み、
前記被接合部は、
前記第１梁に形成され、少なくとも１組の第１外側被接合部及び第１内側被接合部を有する第１被接合部と、
前記第２梁に形成され、少なくとも１組の第２外側被接合部及び第２内側被接合部を有する第２被接合部と、
を少なくとも含む
ことを特徴とするコンクリート部材の接合構造。
【請求項９】
（図１，２の例）
第１コンクリート部及び前記第１コンクリート部から突出して形成される接合部を有する第１部材と、
第２コンクリート部及び前記第２コンクリート部から突出して形成される被接合部を有する第２部材と、
前記接合部と前記被接合部の少なくとも一部を含むように充填される接合充填部と、
を備え、
前記接合部は、少なくとも１組の外側接合部及び内側接合部を有し、
前記外側接合部は、少なくとも一部に外側接合ループ部が形成され、
前記内側接合部は、少なくとも一部に前記外側接合ループ部に囲まれる内側接合ループ部が形成され、
前記被接合部は、少なくとも１組の外側被接合部及び内側被接合部を有し、
前記外側被接合部は、少なくとも一部に外側被接合ループ部が形成され、
前記内側被接合部は、少なくとも一部に前記外側被接合ループ部に囲まれる内側被接合ループ部が形成され、
前記第１部材と前記第２部材は、前記接合充填部内において前記接合部の外側接合ループ部及び前記内側接合ループ部が形成する仮想面と前記被接合部の前記外側被接合ループ部及び前記内側被接合ループ部が形成する仮想面がそれぞれ並列するように設置される
ことを特徴とするコンクリート部材の接合構造。
【請求項１０】
（図１，２の例）
前記接合部及び前記被接合部に交差するように設置される交差部を備える
ことを特徴とする請求項９に記載のコンクリート部材の接合構造。
【発明の詳細な説明】
【技術分野】
【０００１】
本発明は、コンクリート製の梁や柱等の接合に用いられるプレキャスト部材及びコンクリート部材の接合構造に関する。
【背景技術】
【０００２】
従来、コンクリート製の梁や柱等を接合する場合、鉄筋の継手が突出したコンクリート製の部材を対向させ、コンクリート製の部材の間で継手の周囲にコンクリートを充填する構造が開示されている（特許文献１参照）。特許文献１に記載された技術は、コンクリート部材から突出した接合鉄筋に補強鉄筋を密着かつ重合配置している。
【先行技術文献】
【特許文献】
【０００３】
【特許文献１】特許５００４８８０号公報
【発明の概要】
【発明が解決しようとする課題】
【０００４】
しかしながら、特許文献１に記載された技術は、コンクリート部材から突出した接合鉄筋に対して、接合鉄筋とは別の補強鉄筋を接合鉄筋と平行に密着かつ重合配置させている。したがって、対向する接合鉄筋同士は重合配置しておらず、部材が多くなり、設置するための工程及び時間も増えてしまう。また、特許文献１に記載された技術は、コンクリート部材の接合方向が一方向に限定され、部材が交差する部位へ適用できないという問題がある。
【０００５】
本発明の一実施形態の目的は、このような問題点を解決するためになされたものであり、設置工程及び設置時間を減らしながら、コンクリート製の部材を的確且つ強固に接合することが可能なプレキャスト部材及びコンクリート部材の接合構造を提供することである。また、本発明の一実施形態の目的は、接合部を交差させることにより、縦横に部材の接合を可能とすることにより、設計及び施工の自由度を向上させることが可能なプレキャスト部材及びコンクリート部材の接合構造を提供することである。
【課題を解決するための手段】
【０００６】
本実施形態のプレキャスト部材は、
角柱状の柱状部及び前記柱状部から側方に突出する台状部を有するコンクリート部と、
少なくとも１組の外側接合部及び内側接合部を有する接合部と、
を備え、
前記外側接合部は、少なくとも一部に外側接合ループ部が形成され、
前記内側接合部は、少なくとも一部に前記外側接合ループ部に囲まれる内側接合ループ部が形成される
ことを特徴とする。
【０００７】
本実施形態のプレキャスト部材では、
前記外側接合ループ部及び前記内側接合ループ部は、前記コンクリート部から突出して形成される
ことを特徴とする。
【０００８】
本実施形態のプレキャスト部材では、
前記柱状部の水平断面は、多角形に形成され、
前記多角形を形成する外側面に対応して前記台状部及び前記接合部が形成される
ことを特徴とする。
【０００９】
本実施形態のプレキャスト部材では、
前記柱状部は、上柱状部と下柱状部を有し、
前記台状部は、前記下柱状部から側方に突出し、
前記接合部は、前記上柱状部から突出し、
前記下柱状部は、
上端に形成された凸部と、
前記凸部の周囲に埋め込まれた下柱鋼管と、
前記下柱鋼管の内側に設置される柱接合部と、
を有し、
前記上柱状部は、
前記凸部に嵌めこまれる凹部と、
前記凹部の周囲に埋め込まれる上下方向に貫通する複数の中空の上柱鋼管と、
を有し、
前記凸部と前記凹部を嵌めこんだ状態で連続した前記下柱鋼管と前記上柱鋼管に挿入された柱状補強部を備える
ことを特徴とする。
【００１０】
本実施形態のプレキャスト部材では、
前記接合部は、
少なくとも１組の第１外側接合部及び第１内側接合部を有する第１接合部と、
少なくとも１組の第２外側接合部及び第２内側接合部を有する第２接合部と、
を少なくとも含み、
前記第１接合部及び前記第２接合部は一体に形成される
ことを特徴とする。
【００１１】
本実施形態のプレキャスト部材では、
前記第１接合部及び前記第２接合部は交差する
ことを特徴とする。
【００１２】
本実施形態のコンクリート部材の接合構造は、
前記プレキャスト部材と、
直方体のコンクリート部及び少なくとも１組の外側被接合部及び内側被接合部を有する被接合部を備え前記台状部の上面に設置される梁と、
前記プレキャスト部材と前記梁とを接合する接合充填部と、
を備え、
前記外側被接合部は、少なくとも一部に外側被接合ループ部が形成され、
前記内側被接合部は、少なくとも一部に前記外側被接合ループ部に囲まれる内側被接合ループ部が形成され、
前記プレキャスト部材と前記梁は、前記接合充填部内において前記接合部の外側接合ループ部及び前記内側接合ループ部が形成する仮想面と前記被接合部の前記外側被接合ループ部及び前記内側被接合ループ部が形成する仮想面がそれぞれ並列するように設置される
ことを特徴とする。
【００１３】
本実施形態のコンクリート部材の接合構造は、
前記プレキャスト部材と、
直方体のコンクリート部及び少なくとも１組の外側被接合部及び内側被接合部を有する被接合部を備え前記台状部の上面に設置される梁と、
前記プレキャスト部材と前記梁とを接合する接合充填部と、
を備え、
前記外側被接合部は、少なくとも一部に外側被接合ループ部が形成され、
前記内側被接合部は、少なくとも一部に前記外側被接合ループ部に囲まれる内側被接合ループ部が形成され、
前記プレキャスト部材と前記梁は、前記接合充填部内において前記接合部の外側接合ループ部及び前記内側接合ループ部が形成する仮想面と前記被接合部の前記外側被接合ループ部及び前記内側被接合ループ部が形成する仮想面がそれぞれ並列するように設置され、
前記梁は、少なくとも第１梁及び第２梁を含み、
前記被接合部は、
前記第１梁に形成され、少なくとも１組の第１外側被接合部及び第１内側被接合部を有する第１被接合部と、
前記第２梁に形成され、少なくとも１組の第２外側被接合部及び第２内側被接合部を有する第２被接合部と、
を少なくとも含む
ことを特徴とする。
【００１４】
本実施形態のコンクリート部材の接合構造は、
第１コンクリート部及び前記第１コンクリート部から突出して形成される接合部を有する第１部材と、
第２コンクリート部及び前記第２コンクリート部から突出して形成される被接合部を有する第２部材と、
前記接合部と前記被接合部の少なくとも一部を含むように充填される接合充填部と、
を備え、
前記接合部は、少なくとも１組の外側接合部及び内側接合部を有し、
前記外側接合部は、少なくとも一部に外側接合ループ部が形成され、
前記内側接合部は、少なくとも一部に前記外側接合ループ部に囲まれる内側接合ループ部が形成され、
前記被接合部は、少なくとも１組の外側被接合部及び内側被接合部を有し、
前記外側被接合部は、少なくとも一部に外側被接合ループ部が形成され、
前記内側被接合部は、少なくとも一部に前記外側被接合ループ部に囲まれる内側被接合ループ部が形成され、
前記第１部材と前記第２部材は、前記接合充填部内において前記接合部の外側接合ループ部及び前記内側接合ループ部が形成する仮想面と前記被接合部の前記外側被接合ループ部及び前記内側被接合ループ部が形成する仮想面がそれぞれ並列するように設置される
ことを特徴とする。
【００１５】
本実施形態のコンクリート部材の接合構造は、
前記接合部及び前記被接合部に交差するように設置される交差部を備える
ことを特徴とする。
【発明の効果】
【００１６】
本発明に係る一実施形態によれば、設置工程及び設置時間を減らしながら、コンクリート製の部材を的確且つ強固に接合することが可能なプレキャスト部材及びコンクリート部材の接合構造を提供することが可能となる。また、本発明に係る一実施形態によれば、接合部を交差させることにより、縦横に部材の接合を可能とすることにより、設計及び施工の自由度を向上させることが可能なプレキャスト部材及びコンクリート部材の接合構造を提供することである。
【図面の簡単な説明】
【００１７】
【図１】本実施形態のコンクリート部材の接合構造の接合充填部充填後の状態を示す。
【図２】本実施形態のコンクリート部材の接合構造の接合充填部充填前の状態を示す。
【図３】第１実施形態のプレキャスト部材を示す。
【図４】第１実施形態のプレキャスト部材の上面と側面を示す。
【図５】第１実施形態のプレキャスト部材に接続される第１梁を示す。
【図６】第１実施形態のプレキャスト部材を用いたコンクリート部材の接合構造の接合充填部充填前の状態を示す。
【図７】第１実施形態のプレキャスト部材を用いたコンクリート部材の接合構造の接合充填部充填後の状態を示す。
【図８】第２実施形態のプレキャスト部材の組立前の状態を示す。
【図９】第２実施形態のプレキャスト部材の組立後の状態を示す。
【図１０】第２実施形態のプレキャスト部材を用いたコンクリート部材の接合構造の接合充填部充填前の状態を示す。
【図１１】第２実施形態のプレキャスト部材を用いたコンクリート部材の接合構造の接合充填部充填後の状態を示す。
【図１２】第３実施形態のプレキャスト部材を示す。
【図１３】第３実施形態のプレキャスト部材の上面と側面を示す。
【図１４】第３実施形態のプレキャスト部材を用いたコンクリート部材の接合構造の接合充填部充填後の状態を示す。
【図１５】第４実施形態のプレキャスト部材を示す。
【図１６】第４実施形態のプレキャスト部材の上面と側面を示す。
【図１７】第４実施形態のプレキャスト部材を用いたコンクリート部材の接合構造の接合充填部充填後の状態を示す。
【図１８】第５実施形態のプレキャスト部材を示す。
【図１９】第５実施形態のプレキャスト部材の上面と側面を示す。
【図２０】第５実施形態のプレキャスト部材を用いたコンクリート部材の接合構造の接合充填部充填後の状態を示す。
【図２１】第６実施形態のプレキャスト部材を示す。
【図２２】第６実施形態のプレキャスト部材の断面を示す。
【図２３】第６実施形態のプレキャスト部材を用いたコンクリート部材の接合構造において台状部に梁を置いた状態を示す。
【図２４】第６実施形態のプレキャスト部材を用いたコンクリート部材の接合構造において下柱状部に上柱状部を置き柱状補強部を挿入している状態を示す。
【図２５】図２４のXXV-XXV断面を示す。
【図２６】第６実施形態のプレキャスト部材を用いたコンクリート部材の接合構造の接合充填部充填後の状態を示す。
【図２７】第７実施形態のプレキャスト部材を示す。
【図２８】第７実施形態のプレキャスト部材を用いたコンクリート部材の接合構造の接合充填部充填後の状態を示す。
【図２９】第８実施形態のプレキャスト部材を示す。
【図３０】第８実施形態のプレキャスト部材を用いたコンクリート部材の接合構造の接合充填部充填後の状態を示す。
【図３１】第９実施形態のプレキャスト部材を示す。
【図３２】第９実施形態のプレキャスト部材を用いたコンクリート部材の接合構造の接合充填部充填後の状態を示す。
【発明を実施するための形態】
【００１８】
以下、本実施形態のコンクリート部材の接合構造、プレキャスト部材及びコンクリート部材の接合方法について説明する。
【００１９】
図１は、本実施形態のコンクリート部材の接合構造１の接合充填部７充填後の状態を示す。
【００２０】
本実施形態のコンクリート部材の接合構造１は、第１コンクリート部２ａ及びループの閉じた部分が第１コンクリート部２ａから突出して形成される接合部３を有する第１部材２と、第２コンクリート部４ａ及びループの閉じた部分が第２コンクリート部４ａから突出して形成される被接合部５を有する第２部材４と、接合部３と被接合部５の少なくとも一部を含むように充填される接合充填部７と、を備える。
【００２１】
また、図１に示す例では、コンクリート部材の接合構造１は、接合部３及び被接合部５に交差するように設置される交差部６を備える。なお、接合部３は、第１コンクリート部２ａの内部で図示しない鉄筋等の剛性部材と接合されていると好ましい。また、被接合部５は、第２コンクリート部４ａの内部で図示しない鉄筋等の剛性部材と接合されていると好ましい。
【００２２】
第１部材２は、第１コンクリート部２ａから接合部３の一部を突出させて形成される。接合部３は、鉄筋等の高剛性の部材からなり、少なくとも１組の外側接合部３ａ及び内側接合部３ｂを有する。図１に示す例では、接合部３は６組の外側接合部３ａ及び内側接合部３ｂを有する。なお、図１はあくまでも事例であるため、必要な外側接合部３ａ及び内側接合部３ｂの組数は任意であり、図の組数に限定されない。
【００２３】
外側接合部３ａは、少なくとも一部に外側接合ループ部３ａ１が形成され、外側接合ループ部３ａ１が第１コンクリート部２ａから突出する。内側接合部３ｂは、少なくとも一部に内側接合ループ部３ｂ１が形成され、内側接合ループ部３ｂ１が第１コンクリート部２ａから突出する。
【００２４】
内側接合部３ｂの内側ループ部３ｂ１は、外側接合部３ａの外側接合ループ部３ａ１に囲まれるように設置される。外側接合ループ部３ａ１と内側接合ループ部３ｂ１は、図１（ｂ）に示すように、平行に設置されると好ましい。また、外側接合ループ部３ａ１で形成される仮想面と内側接合ループ部３ｂ１で形成される仮想面は、図１（ａ）に示すように、面一に設置されるとさらに好ましい。
【００２５】
なお、本実施形態の説明中、平行とは完全に平行な場合及び多少ずれていて略平行な場合も含むこととする。また、本実施形態の説明中、面一とは完全に面一な場合及び多少ずれていて略面一な場合も含むこととする。
【００２６】
ここで、ループとは、第１コンクリート部２ａから突出し、所定の位置で折り曲げられ、所定の位置で第１コンクリート部２ａ内に向かう形状である。各接合ループ部３ａ１，３ｂ１は、第１コンクリート部２ａから露出した部分を示す。各接合ループ部３ａ１，３ｂ１以外の接合部３は、第１コンクリート部２ａ内に設置される。また、各接合ループ部３ａ１，３ｂ１が第１コンクリート部２ａから突出する方向を第１突出方向Ａとする。各接合ループ部３ａ１，３ｂ１の第１突出方向Ａは、平行であると好ましい。
【００２７】
第２部材４は、第２コンクリート部４ａから被接合部５の一部を突出させて形成される。被接合部５は、鉄筋等の高剛性の部材からなり、少なくとも１組の外側被接合部５ａ及び内側被接合部５ｂを有する。図１に示す例では、被接合部５は５組の外側被接合部５ａ及び内側被接合部５ｂを有する。なお、図１はあくまでも事例であるため、必要な外側被接合部５ａ及び内側被接合部５ｂの組数は任意であり、図の組数に限定されない。
【００２８】
外側被接合部５ａは、少なくとも一部に外側被接合ループ部５ａ１が形成され、外側被接合ループ部５ａ１が第２コンクリート部４ａから突出する。内側被接合部５ｂは、少なくとも一部に内側被接合ループ部５ｂ１が形成され、内側被接合ループ部５ｂ１が第２コンクリート部４ａから突出する。
【００２９】
内側被接合部５ｂの内側被接合ループ部５ｂ１は、外側被接合部５ａの外側被接合ループ部５ａ１に囲まれるように設置される。外側被接合ループ部５ａ１と内側被接合ループ部５ｂ１は、平行に設置されると好ましい。また、外側被接合ループ部５ａ１と内側被接合ループ部５ｂ１は、面一に設置されるとさらに好ましい。
【００３０】
ここで、ループとは、第２コンクリート部４ａから突出し、所定の位置で折り曲げられ、所定の位置で第２コンクリート部４ａ内に向かう形状である。各被接合ループ部５ａ１，５ｂ１は、第２コンクリート部４ａから露出した部分を示す。各被接合ループ部５ａ１，５ｂ１以外の被接合部５は、第２コンクリート部４ａ内に設置される。また、各被接合ループ部５ａ１，５ｂ１が第２コンクリート部４ａから突出する方向を第２突出方向Ｂとする。各被接合ループ部５ａ１，５ｂ１の突出方向は、平行であると好ましい。
【００３１】
さらに、外側接合ループ部３ａ１及び内側接合ループ部３ｂ１の接合突出方向Ａと外側被接合ループ部５ａ１及び内側被接合ループ部５ｂ１の被接合突出方向Ｂは、平行であるとさらに好ましい。
【００３２】
交差部６は、複数の鉄筋等の高剛性の部材からなり、接合部３の外側接合ループ部３ａ１及び内側接合ループ部３ｂ１と被接合部５の外側被接合ループ部５ａ１及び内側被接合ループ部５ｂ１に交差するように設置される。交差部６を設置することで剛性を高めることが可能となる。
【００３３】
接合充填部７には、充填材が接合部３の外側接合ループ部３ａ１及び内側接合ループ部３ｂ１と被接合部５の外側被接合ループ部５ａ１及び内側被接合ループ部５ｂ１を含むように充填される。充填材は、コンクリート、モルタル等、接合及び被接合部材と同等の剛性を発現し固化する材料とする。
【００３４】
図２は、本実施形態のコンクリート部材の接合構造１の接合充填部７充填前の状態を示す。
【００３５】
図２（ａ）に示すように、第１部材２と第２部材４は、接合部３の外側接合ループ部３ａ１及び内側接合ループ部３ｂ１が形成する仮想面と被接合部５の外側被接合ループ部５ａ１及び内側被接合ループ部５ｂ１が形成する仮想面がそれぞれ並列するように設置される。第１部材２と第２部材４は、交互に配置されると好ましい。
【００３６】
なお、接合部３の外側接合ループ部３ａ１及び内側接合ループ部３ｂ１と被接合部５の外側被接合ループ部５ａ１及び内側被接合ループ部５ｂ１は、図２に示すように、突出方向が平行で、等間隔に並べると好ましいが、多少ずれてもよい。また、第１部材２と第２部材４は、予め工場等で製作されて現場に運搬されると、現場での施工時間が短くでき好ましいが、現場で製作されてもよい。
【００３７】
第１部材２と第２部材４を、図２に示すように設置した後、図１に示す例では、接合部３及び被接合部５に交差するように交差部６を設置する。
【００３８】
その後、第１コンクリート部２ａと第２コンクリート部４ａの間で、接合部３の外側接合ループ部３ａ１及び内側接合ループ部３ｂ１と被接合部５の外側被接合ループ部５ａ１及び内側被接合ループ部５ｂ１を含むように、コンクリート等の充填材を充填し、接合充填部７を形成する。
【００３９】
このように、本実施形態のコンクリート部材の接合構造１によれば、設置工程及び設置時間を減らしながら、コンクリート部材を的確且つ強固に接合することが可能となる。
【００４０】
次に、第１実施形態のプレキャスト部材１０について説明する。
【００４１】
図３は、第１実施形態のプレキャスト部材１０を示す。
【００４２】
第１実施形態のプレキャスト部材１０は、コンクリート部２０と、ループの閉じた部分がコンクリート部２０から突出して形成される接合部３０と、を備える。コンクリート部２０は、建物の柱等になる角柱状の柱状部２１と、柱状部２１から側方に突出して上面で梁を受ける台状部２２と、を有する。なお、接合部３０は、コンクリート部２０の内部で図示しない鉄筋等の剛性部材と接合されていると好ましい。
【００４３】
接合部３０は、鉄筋等の高剛性の部材からなり、少なくとも１組の第１外側接合部３１ａ及び第１内側接合部３１ｂを有する第１接合部３１と、少なくとも１組の第２外側接合部３２ａ及び第２内側接合部３２ｂを有する第２接合部３２と、少なくとも１組の第３外側接合部３３ａ及び第３内側接合部３３ｂを有する第３接合部３３と、少なくとも１組の第４外側接合部３４ａ及び第４内側接合部３４ｂを有する第４接合部３４と、を含む。第１接合部３１、第２接合部３２、第３接合部３３及び第４接合部３４は、コンクリート部２０内で交差することが好ましい。
【００４４】
図３に示す例では、第１接合部３１と第３接合部３３は柱状部２１の対向する２面から突出し、第２接合部３２と第４接合部３４は第１接合部３１と第３接合部３３が突出する面に対して直交する柱状部２１の対向する２面から突出するように設置される。なお、第１接合部３１と第３接合部３３は一体に形成してもよく、第２接合部３２と第４接合部３４は一体に形成してもよい。また、図３に示す例では、第１接合部３１〜第４接合部３４はそれぞれ８組の外側接合部３１ａ〜３４ａ及び内側接合部３１ｂ〜３４ｂを有する。
【００４５】
図４は、第１実施形態のプレキャスト部材の側面と上面を示す。なお、第１接合部３１〜第４接合部３４は、それぞれ同じ構造なので、ここでは、第１接合部３１のみ説明する。
【００４６】
第１接合部３１の第１外側接合部３１ａは、少なくとも一部に第１外側ループ部３１ａ１が形成され、第１外側ループ部３１ａ１が柱状部２１から突出する。第１内側接合部３１ｂは、少なくとも一部に第１内側ループ部３１ｂ１が形成され、第１内側ループ部３１ｂ１が柱状部２１から突出する。
【００４７】
第１内側接合部３１ｂの第１内側ループ部３１ｂ１は、第１外側接合部３１ａの第１外側ループ部３１ａ１に囲まれるように設置される。第１外側ループ部３１ａ１と第１内側ループ部３１ｂ１は、平行に設置されると好ましい。
【００４８】
ここで、ループとは、コンクリート部２０から突出し、所定の位置で折り曲げられ、所定の位置でコンクリート部２０内に向かう形状である。各ループ部３１ａ１，３１ｂ１は、コンクリート部２０から露出した部分を示す。各ループ部３１ａ１，３１ｂ１以外の第１接合部３１は、コンクリート部２０内に設置され、各ループ部３１ａ１，３１ｂ１を保持する。また、各ループ部３１ａ１，３１ｂ１が梁コンクリート部２２ａから突出する方向を第１接合突出方向Ａ１とする。各接合ループ部３ａ１，３ｂ１の第１接合突出方向Ａ１は、平行であると好ましい。
【００４９】
図５は、第１実施形態のプレキャスト部材１０に接続される第１梁４１を示す。第１実施形態のプレキャスト部材１０には、後述するように、４本の梁が接続されるが、第１梁４１、第２梁４２、第３梁４３及び第４梁４４は、同一の構造なので、ここでは、第１梁４１を例に説明する。
【００５０】
第１梁４１は、直方体の第１梁コンクリート部４１ａ及びループの閉じた部分が第１梁コンクリート部４１ａから突出して形成される第１被接合部５１を有する。なお、第１被接合部５１は、第１梁コンクリート部４１ａの内部で、図示しない鉄筋等の剛性部材と接合されていると好ましい。
【００５１】
第１被接合部５１は、鉄筋等の高剛性の部材からなり、少なくとも１組の第１外側被接合部５１ａ及び第１内側被接合部５１ｂを有する。図５に示す例では、第１被接合部５１は８組の第１外側被接合部５１ａ及び第１内側被接合部５１ｂを有する。
【００５２】
第１外側被接合部５１ａは、少なくとも一部に第１外側被接合ループ部５１ａ１が形成され、第１外側被接合ループ部５１ａ１が第１梁コンクリート部４１ａから突出する。第１内側被接合部５１ｂは、少なくとも一部に第１内側被接合ループ部５１ｂ１が形成され、第１内側被接合ループ部５１ｂ１が第１梁コンクリート部４１ａから突出する。
【００５３】
第１内側被接合部５１ｂの第１内側被接合ループ部５１ｂ１は、第１外側被接合部５１ａの第１外側被接合ループ部５１ａ１に囲まれるように設置される。第１外側被接合ループ部５１ａ１と第１内側被接合ループ部５１ｂ１は、平行に設置されると好ましい。
【００５４】
ここで、ループとは、第１梁コンクリート部４１ａから突出し、所定の位置で折り曲げられ、所定の位置で第１梁コンクリート部４１ａ内に向かう形状である。各ループ部５１ａ１，５１ｂ１は、第１梁コンクリート部４１ａから露出した部分を示す。各ループ部５１ａ１，５１ｂ１以外の第１被接合部５１は、第１梁コンクリート部４１ａ内に設置され、各ループ部５１ａ１，５１ｂ１を保持する。また、各ループ部５１ａ１，５１ｂ１が第１梁コンクリート部４１ａから突出する方向を第１被接合突出方向Ｂ１とする。各被接合ループ部５１ａ１，５１ｂ１の第１被接合突出方向Ｂ１は、平行であると好ましい。
【００５５】
次に、第１実施形態のプレキャスト部材１０を用いたコンクリート部材の接合構造１について説明する。
【００５６】
図６は、第１実施形態のプレキャスト部材１０を用いたコンクリート部材の接合構造１の接合充填部７０充填前の状態を示す。
【００５７】
図６に示すコンクリート部材の接合構造１は、第１実施形態のプレキャスト部材１０に梁４１，４２，４３，４４を４方向に接合する構造の一例である。例えば、構造物の梁を想定すると、第１梁４１及び第３梁４３が縦梁、第２梁４２及び第４梁４４が横梁を構成し、プレキャスト部材１０は、縦梁と横梁を接合する。ここでは、第１接合部３１と第１梁４１の接合構造について説明する。
【００５８】
第１梁４１、第２梁４２、第３梁４３及び第４梁４４は、それぞれ９０°異なる方向のプレキャスト部材１０の台状部２２にそれぞれ設置される。なお、梁４１，４２，４３，４４は４本使用する必要はなく、１本、２本又は３本でもよい。また、プレキャスト部材１０の水平断面を５角形以上の多角形とし、５本以上の梁を使用してもよい。例えば、本実施形態のプレキャスト部材１０では、柱状部２１の水平断面が多角形に形成され、多角形を形成する外側面に対応して台状部２２及び接合部３０が形成されてもよい。この場合、各ループ部の突出方向は、多角形を形成する外側面に直交すると好ましい。
【００５９】
プレキャスト部材１０と第１梁４１は、第１接合部３１の第１外側接合ループ部３１ａ１及び内側接合ループ部３ｂ１が形成する仮想面と第１被接合部５１の外側被接合ループ部５１ａ１及び内側被接合ループ部５１ｂ１が形成する仮想面がそれぞれ並列するように設置される。第１接合部３１と第１被接合部５１は、交互に配置されると好ましい。
【００６０】
なお、第１接合部３１の外側接合ループ部３１ａ１及び内側接合ループ部３１ｂ１が形成する仮想面と第１被接合部５１の外側被接合ループ部５１ａ１及び内側被接合ループ部５１ｂ１が形成する仮想面は、平行で等間隔に並べると好ましいが、多少ずれてもよい。また、プレキャスト部材１０と第１梁４１は、予め工場等で製作されて現場に運搬されると、現場での施工時間が短くでき好ましいが、現場で製作されてもよい。
【００６１】
また、プレキャスト部材１０及び梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【００６２】
図７は、第１実施形態のプレキャスト部材１０を用いたコンクリート部材の接合構造１の接合充填部７０充填後の状態を示す。
【００６３】
図６に示すようにプレキャスト部１０と第１梁４１を設置した後、図６に示すように、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２、第３梁４３及び第４梁４４の間にコンクリート等の充填材を充填し、第２接合充填部７２、第３接合充填部７３及び第４接合充填部７４を形成する。
【００６４】
このように、第１実施形態のプレキャスト部材によれば、設置工程及び設置時間を減らしながら、コンクリート部材を的確且つ強固に接合することが可能となる。
【００６５】
次に、第２実施形態のプレキャスト部材について説明する。
【００６６】
図８は、第２実施形態のプレキャスト部材の組立前の状態を示す。
【００６７】
第２実施形態のプレキャスト部材１０は、コンクリート部２０と、ループの閉じた部分がコンクリート部２０から突出して形成される接合部３０と、を備える。コンクリート部２０は、建物の柱等になる角柱状の柱状部２１と、柱状部２１から側方に突出して上面で梁を受ける台状部２２と、柱状部２１を補強する柱状補強部２３と、を有する。
【００６８】
接合部３０は、鉄筋等の高剛性の部材からなり、少なくとも１組の第１外側接合部３１ａ及び第１内側接合部３１ｂを有する第１接合部３１と、少なくとも１組の第２外側接合部３２ａ及び第２内側接合部３２ｂを有する第２接合部３２と、少なくとも１組の第３外側接合部３３ａ及び第３内側接合部３３ｂを有する第３接合部３３と、少なくとも１組の第４外側接合部３４ａ及び第４内側接合部３４ｂを有する第４接合部３４と、を含む。
【００６９】
なお、第１接合部３１と第３接合部３３は一体に形成してもよく、第２接合部３２と第４接合部３４は一体に形成してもよい。また、図８に示す例では、第１接合部３１〜第４接合部３４はそれぞれ８組の外側接合部３１ａ〜３４ａ及び内側接合部３１ｂ〜３４ｂを有する。なお、図８はあくまでも事例であるため、必要な外側接合部３１ａ〜３４ａ及び内側接合部３１ｂ〜３４ｂの組数は任意であり、図の組数に限定されない。
【００７０】
第２実施形態の第１接合部３１〜第４接合部３４は、それぞれ同じ構造なので、ここでは、第１接合部３１のみ説明する。
【００７１】
第１接合部３１の第１外側接合部３１ａは、少なくとも一部に第１外側ループ部３ａ１が形成され、第１内側接合部３ｂは、少なくとも一部に第１内側ループ部３ｂ１が形成される。
【００７２】
第１内側接合部３１ｂの第１内側ループ部３１ｂ１は、第１外側接合部３１ａの第１外側ループ部３１ａ１に囲まれるように設置される。第１外側ループ部３１ａ１と第１内側ループ部３１ｂ１は、平行に設置されると好ましい。
【００７３】
ここで、ループとは、台状部２２の上面に沿った一方向に延び、所定の位置で折り曲げられ、所定の位置で台状部２２の上面に沿った一方向とは反対方向に向かう形状である。また、第２実施形態のプレキャスト部材１０では、台状部２２の上面に沿った方向を各ループ部の突出方向とする。
【００７４】
図９は、第２実施形態のプレキャスト部材１０の組立後の状態を示す。
【００７５】
図９に示すように、第２実施形態のプレキャスト部材１０は、コンクリート部２０と接合部３０を組み付ける。具体的には、コンクリート部２０の柱状補強部２３に接合部３０を組み付ける。プレキャスト部材１０は、予め工場等で製作されて現場に運搬されると、現場での施工時間が短くでき好ましいが、現場で製作されてもよい。
【００７６】
次に、第２実施形態のプレキャスト部材１０を用いたコンクリート部材の接合構造１について説明する。
【００７７】
図１０は、第２実施形態のプレキャスト部材１０を用いたコンクリート部材の接合構造１の接合充填部７０充填前の状態を示す。
【００７８】
図１０に示すコンクリート部材の接合構造１は、第２実施形態のプレキャスト部材１０の接合部３０に梁４０を４方向に接合する構造の一例である。第１梁４１、第２梁４２、第３梁４３及び第４梁４４は、それぞれ９０°異なる方向のプレキャスト部材１０の台状部２２にそれぞれ設置される。
【００７９】
なお、梁４０及び被接合部５０の構造は、第１実施形態と同様なので、説明を省略する。また、梁４０は４本使用する必要はなく、１本、２本又は３本でもよい。また、プレキャスト部材１０の柱状部２１の水平断面を５角形以上の多角形とし、接合部３０の各ループ部３１ａ１，３１ｂ１を多角形の周面に合わせて形成し、５本以上の梁を使用してもよい。
【００８０】
プレキャスト部材１０と第１梁４１は、第１接合部３１の第１外側接合ループ部３１ａ１及び内側接合ループ部３ｂ１が形成する仮想面と第１被接合部５１の外側被接合ループ部５１ａ１及び内側被接合ループ部５１ｂ１が形成する仮想面がそれぞれ並列するように設置される。第１接合部３１と第１被接合部５１は、交互に配置されると好ましい。
【００８１】
なお、第１接合部３１の外側接合ループ部３１ａ１及び内側接合ループ部３１ｂ１が形成する仮想面と第１被接合部５１の外側被接合ループ部５１ａ１及び内側被接合ループ部５１ｂ１が形成する仮想面は、平行で等間隔に並べると好ましいが、多少ずれてもよい。また、プレキャスト部材１０と第１梁４１は、予め工場等で製作されて現場に運搬されると、現場での施工時間が短くでき好ましいが、現場で製作されてもよい。第１梁４１を設置した後、第２梁４２、第３梁４３及び第４梁４４も第１梁４１と同様に設置する。
【００８２】
また、プレキャスト部材１０及梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【００８３】
図１１は、第２実施形態のプレキャスト部材１０を用いたコンクリート部材の接合構造１の接合充填部７０充填後の状態を示す。
【００８４】
プレキャスト部１０と梁４０を設置した後、図１１に示すように、プレキャスト部１０の接合部３０と梁４０の被接合部５０を含むように、コンクリート等の充填材を充填し、接合充填部７０を形成する。
【００８５】
このように、第２実施形態のプレキャスト部材によれば、設置工程及び設置時間を減らしながら、コンクリート部材を的確且つ強固に接合することが可能となる。
【００８６】
次に、第３実施形態のプレキャスト部材１０について説明する。
【００８７】
図１２は、第３実施形態のプレキャスト部材１０を示す。図１３は、第３実施形態のプレキャスト部材の上面と側面を示す。
【００８８】
第３実施形態のプレキャスト部材１０は、図３に示した第１実施形態のプレキャスト部材１０の第１接合部３１〜第３接合部３３を突出させ、第４接合部３４を除いたものであって、接合部３０を３方向に突出させる例である。
【００８９】
第３実施形態の接合部３０のうち、柱状部２１から突出していない部分は、ループ状の部分を形成しない構造でもよく、ループ状に形成して柱状部２１に埋め込んでもよい。その他の構造は、第１実施形態と同様である。
【００９０】
また、プレキャスト部材１０及梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【００９１】
図１４は、第３実施形態のプレキャスト部材１０を用いたコンクリート部材の接合構造１の接合充填部７０充填後の状態を示す。
【００９２】
プレキャスト部１０と第１梁４１を設置した後、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２及び第３梁４３の間にコンクリート等の充填材を充填し、第２接合充填部７２及び第３接合充填部７３を形成する。
【００９３】
このように、第３実施形態のプレキャスト部材１０によれば、設置工程及び設置時間を減らしながら、コンクリート部材を的確且つ強固に接合することが可能となる。また、第３実施形態のプレキャスト部材１０によれば、構造物の設計の自由度を増やすことが可能となる。
【００９４】
次に、第４実施形態のプレキャスト部材１０について説明する。
【００９５】
図１５は、第４実施形態のプレキャスト部材１０を示す。図１６は、第４実施形態のプレキャスト部材の上面と側面を示す。
【００９６】
第４実施形態のプレキャスト部材１０は、図３に示した第１実施形態のプレキャスト部材１０の第１接合部３１及び第２接合部３２を突出させ、第３接合部３３及び第４接合部３４を除いたものであって、接合部３０を直角の２方向に突出させる例である。
【００９７】
第４実施形態の接合部３０のうち、柱状部２１から突出していない部分は、ループ状の部分を形成しない構造でもよく、ループ状に形成して柱状部２１に埋め込んでもよい。その他の構造は、第１実施形態と同様である。
【００９８】
また、プレキャスト部材１０及梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【００９９】
図１７は、第４実施形態のプレキャスト部材１０を用いたコンクリート部材の接合構造１の接合充填部７０充填後の状態を示す。
【０１００】
プレキャスト部１０と第１梁４１を設置した後、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２の間にコンクリート等の充填材を充填し、第２接合充填部７２を形成する。
【０１０１】
このように、第４実施形態のプレキャスト部材１０によれば、設置工程及び設置時間を減らしながら、コンクリート部材を的確且つ強固に接合することが可能となる。また、第４実施形態のプレキャスト部材１０によれば、構造物の設計の自由度を増やすことが可能となる。
【０１０２】
次に、第５実施形態のプレキャスト部材１０について説明する。
【０１０３】
図１８は、第５実施形態のプレキャスト部材１０を示す。図１９は、第５実施形態のプレキャスト部材の上面と側面を示す。
【０１０４】
第５実施形態のプレキャスト部材１０は、図３に示した第１実施形態のプレキャスト部材１０の第１接合部３１及び第３接合部３３を突出させ、第２接合部３２及び第４接合部３４を除いたものであって、接合部３０を直線状の２方向に突出させる例である。なお、第５実施形態では、第１実施形態の第３接合部３３を第２接合部３２に言い換えて、直線状の２方向に延びる接合部３０を第１接合部３１と第２接合部３２とする。
【０１０５】
第５実施形態の接合部３０のうち、柱状部２１から突出していない部分は、ループ状の部分を形成しない構造でもよく、ループ状に形成して柱状部２１に埋め込んでもよい。その他の構造は、第１実施形態と同様である。
【０１０６】
また、プレキャスト部材１０及梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【０１０７】
図２０は、第５実施形態のプレキャスト部材１０を用いたコンクリート部材の接合構造１の接合充填部７０充填後の状態を示す。
【０１０８】
プレキャスト部１０と第１梁４１を設置した後、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２の間にコンクリート等の充填材を充填し、第２接合充填部７２を形成する。
【０１０９】
このように、第５実施形態のプレキャスト部材１０によれば、設置工程及び設置時間を減らしながら、コンクリート部材を的確且つ強固に接合することが可能となる。また、第５実施形態のプレキャスト部材１０によれば、構造物の設計の自由度を増やすことが可能となる。
【０１１０】
なお、第３実施形態〜第５実施形態についても、図８〜図１１に示した第２実施形態のように、プレキャスト部１０と梁４０を設置した後、プレキャスト部１０の接合部３０と梁４０の被接合部５０を含むように、コンクリート等の充填材を充填し、接合充填部７０を形成してもよい。
【０１１１】
図２１は、第６実施形態のプレキャスト部材１０を示す。図２２は、第６実施形態のプレキャスト部材１０の断面を示す。
【０１１２】
第６実施形態のプレキャスト部材１０は、柱状部２１を下柱状部２１ａと上柱状部２１ｂとに分けて製作される。下柱状部２１ａは、上端から側方に突出する台状部２２を有する。台状部２２は、上面で梁を受ける。下柱状部２１ａの上端の中央部分には、円柱状の凸部２１１が形成される。凸部２１１の周囲には、複数の中空の下柱鋼管２１２が埋め込まれる。下柱鋼管２１２の内側には、鉄筋等の柱接合部２１３が設置される。柱接合部２１３の下方は、下柱状部２１ａに埋め込まれる。
【０１１３】
上柱状部２１ｂは、第１実施形態と同様の接合部３０を有する。上柱状部の下端の中央部分には、円柱状の凹部２１４が形成される。上柱状部２１ｂは、上下方向に貫通する縦孔が形成され、複数の中空の上柱鋼管２１５が埋め込まれる。上柱鋼管２１５は、接合部３０と交差しないように設置される。
【０１１４】
下柱状部２１ａと上柱状部２１ｂは、凸部２１１を凹部２１４に嵌めこんで位置決めする。凸部２１１と凹部２１４を嵌めこんだ状態では、下柱鋼管２１２と上柱鋼管２１５の位置が上下方向において連続する。連続した下柱鋼管２１２と上柱鋼管２１５には、柱状補強部２３が挿入される。柱状補強部２３が挿入された下柱鋼管２１２と上柱鋼管２１５には、モルタル又はコンクリートが注入される。
【０１１５】
次に、第６実施形態のプレキャスト部材１０を用いたコンクリート部材の接合構造１について説明する。
【０１１６】
図２３は、第６実施形態のプレキャスト部材１０を用いたコンクリート部材の接合構造１において台状部２２に梁４０を置いた状態を示す。
【０１１７】
第６実施形態のプレキャスト部材１０を用いたコンクリート部材の接合構造１は、第１実施形態のコンクリート部材の接合構造１と同様の構造であるが、製作過程が異なる。第６実施形態のプレキャスト部材１０を用いたコンクリート部材の接合構造１を製作するためには、まず、台状部２２に梁４０を置く。梁４０を台状部２２に置いた状態で、被接合部５０は台状部２２の上方に存在し、下柱状部２１ａ及び下柱鋼管２１２とは上方から見て重ならない。
【０１１８】
図２４は、第６実施形態のプレキャスト部材１０を用いたコンクリート部材の接合構造１において下柱状部２１ａに上柱状部２１ｂを置き柱状補強部２３を挿入している状態を示す。図２５は、図２４のXXV-XXV断面を示す。
【０１１９】
下柱状部２１ａと上柱状部２１ｂは、凸部２１１を凹部２１４に嵌めこんで位置決めされる。凸部２１１と凹部２１４を嵌めこんだ状態では、下柱鋼管２１２と上柱鋼管２１５の位置が上下方向において連続する。
【０１２０】
プレキャスト部材１０と第１梁４１は、第１接合部３１の第１外側接合ループ部３１ａ１及び内側接合ループ部３ｂ１が形成する仮想面と第１被接合部５１の外側被接合ループ部５１ａ１及び内側被接合ループ部５１ｂ１が形成する仮想面がそれぞれ並列するように設置される。第１接合部３１と第１被接合部５１は、交互に配置されると好ましい。
【０１２１】
なお、第１接合部３１の外側接合ループ部３１ａ１及び内側接合ループ部３１ｂ１が形成する仮想面と第１被接合部５１の外側被接合ループ部５１ａ１及び内側被接合ループ部５１ｂ１が形成する仮想面は、平行で等間隔に並べると好ましいが、多少ずれてもよい。また、プレキャスト部材１０と第１梁４１は、予め工場等で製作されて現場に運搬されると、現場での施工時間が短くでき好ましいが、現場で製作されてもよい。
【０１２２】
また、プレキャスト部材１０及び梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【０１２３】
連続した下柱鋼管２１２と上柱鋼管２１５には、柱状補強部２３が挿入される。柱状補強部２３は、下端が下柱状部２１ａに接触した状態で上端が上柱状部２１ｂの上端より下方に位置するとよい。
【０１２４】
図２６は、第６実施形態のプレキャスト部材１０を用いたコンクリート部材の接合構造１の接合充填部７０充填後の状態を示す。
【０１２５】
柱状補強部２３が挿入された下柱鋼管２１２と上柱鋼管２１５には、モルタル又はコンクリート等の充填材２１６が上柱鋼管２１５の上端まで注入される。なお、上柱鋼管２１５と柱状補強部２３の上端を上柱状部２１ｂの上面より低い位置となるように設置することで、充填材２１６によって上柱鋼管２１５と柱状補強部２３の上端が隠れるようにしてもよい、
【０１２６】
その後、図２６に示すように、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２、第３梁４３及び第４梁４４の間にコンクリート等の充填材を充填し、第２接合充填部７２、第３接合充填部７３及び第４接合充填部７４を形成する。
【０１２７】
このように、第６実施形態のプレキャスト部材１０によれば、設置工程及び設置時間を減らしながら、コンクリート部材を的確且つ強固に接合することが可能となる。また、一体に形成された柱状部に対して、分割して形成された上柱状部２１ｂと下柱状部２１ａは、１つ１つの重量及び寸法がそれぞれ小さいので、容易に運搬及び施工をすることができる。なお、本実施形態のプレキャスト部材１０を用いたコンクリート部材の接合構造１を製作する順序は、下柱状部２１ａに上柱状部２１ｂを置き柱状補強部２３を挿入した後に、台状部２２に梁４０を置く順序でも良い。
【０１２８】
次に、第７実施形態のプレキャスト部材１０について説明する。
【０１２９】
図２７は、第７実施形態のプレキャスト部材１０を示す。図２８は、第７実施形態のプレキャスト部材１０を用いたコンクリート部材の接合構造１の接合充填部７０充填後の状態を示す。
【０１３０】
第７実施形態のプレキャスト部材１０は、図２１に示した第６実施形態のプレキャスト部材１０の第１接合部３１〜第３接合部３３を突出させ、第４接合部３４を除いたものであって、接合部３０を３方向に突出させる例である。
【０１３１】
第７実施形態の接合部３０のうち、柱状部２１から突出していない部分は、ループ状の部分を形成しない構造でもよく、ループ状に形成して柱状部２１に埋め込んでもよい。その他の構造は、第６実施形態と同様である。
【０１３２】
プレキャスト部１０と第１梁４１を設置した後、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２の間及びプレキャスト部１０と第３梁４３の間にコンクリート等の充填材を充填し、第２接合充填部７２及び第３接合充填部７３を形成する。
【０１３３】
また、プレキャスト部材１０及び梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【０１３４】
このように、第７実施形態のプレキャスト部材１０によれば、設置工程及び設置時間を減らしながら、コンクリート部材を的確且つ強固に接合することが可能となる。また、第７実施形態のプレキャスト部材１０によれば、構造物の設計の自由度を増やすことが可能となる。さらに、一体に形成された柱状部に対して、分割して形成された上柱状部２１ｂと下柱状部２１ａは、１つ１つの重量及び寸法がそれぞれ小さいので、容易に運搬及び施工をすることができる。
【０１３５】
図２９は、第８実施形態のプレキャスト部材１０を示す。図３０は、第８実施形態のプレキャスト部材１０を用いたコンクリート部材の接合構造１の接合充填部７０充填後の状態を示す。
【０１３６】
第８実施形態のプレキャスト部材１０は、図２１に示した第６実施形態のプレキャスト部材１０の第１接合部３１及び第２接合部３２を突出させ、第３接合部３３及び第４接合部３４を除いたものであって、接合部３０を２方向に突出させる例である。
【０１３７】
第８実施形態の接合部３０のうち、柱状部２１から突出していない部分は、ループ状の部分を形成しない構造でもよく、ループ状に形成して柱状部２１に埋め込んでもよい。その他の構造は、第６実施形態と同様である。
【０１３８】
また、プレキャスト部材１０及梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【０１３９】
プレキャスト部１０と第１梁４１を設置した後、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２の間にコンクリート等の充填材を充填し、第２接合充填部７２を形成する。
【０１４０】
このように、第８実施形態のプレキャスト部材１０によれば、設置工程及び設置時間を減らしながら、コンクリート部材を的確且つ強固に接合することが可能となる。また、第８実施形態のプレキャスト部材１０によれば、構造物の設計の自由度を増やすことが可能となる。さらに、一体に形成された柱状部に対して、分割して形成された上柱状部２１ｂと下柱状部２１ａは、１つ１つの重量及び寸法がそれぞれ小さいので、容易に運搬及び施工をすることができる。
【０１４１】
次に、第９実施形態のプレキャスト部材１０について説明する。
【０１４２】
図３１は、第９実施形態のプレキャスト部材１０を示す。図３２は、第９実施形態のプレキャスト部材１０を用いたコンクリート部材の接合構造１の接合充填部７０充填後の状態を示す。
【０１４３】
第９実施形態のプレキャスト部材１０は、図２１に示した第６実施形態のプレキャスト部材１０の第１接合部３１及び第３接合部３３を突出させ、第２接合部３２及び第４接合部３４を除いたものであって、接合部３０を直線状の２方向に突出させる例である。なお、第９実施形態では、第６実施形態の第３接合部３３を第２接合部３２に言い換えて、直線状の２方向に延びる接合部３０を第１接合部３１と第２接合部３２とする。
【０１４４】
第５実施形態の接合部３０のうち、柱状部２１から突出していない部分は、ループ状の部分を形成しない構造でもよく、ループ状に形成して柱状部２１に埋め込んでもよい。その他の構造は、第６実施形態と同様である。
【０１４５】
また、プレキャスト部材１０及梁４０は、接合部３０及び被接合部５０に交差するように設置される第１実施形態で示したような交差部を備えてもよい。なお、接合部３０は、柱状部２１の内部で図示しない鉄筋等の剛性部材と接合されていると好ましい。また、被接合部５０は、梁４０の内部で図示しない鉄筋等の剛性部材と接合されていると好ましい。
【０１４６】
プレキャスト部１０と第１梁４１を設置した後、プレキャスト部１０と第１梁４１の間で、第１接合部３１の第１外側接合ループ部３１ａ１及び第１内側接合ループ部３１ｂ１と第１被接合部５１の第１外側被接合ループ部５１ａ１及び第１内側被接合ループ部５１ｂ１を含むように、コンクリート等の充填材を充填し、第１接合充填部７１を形成する。同様に、プレキャスト部１０と第２梁４２の間にコンクリート等の充填材を充填し、第２接合充填部７２を形成する。
【０１４７】
このように、第９実施形態のプレキャスト部材１０によれば、設置工程及び設置時間を減らしながら、コンクリート部材を的確且つ強固に接合することが可能となる。また、第９実施形態のプレキャスト部材１０によれば、構造物の設計の自由度を増やすことが可能となる。さらに、一体に形成された柱状部に対して、分割して形成された上柱状部２１ｂと下柱状部２１ａは、１つ１つの重量及び寸法がそれぞれ小さいので、容易に運搬及び施工をすることができる。
【０１４８】
以上、本実施形態のプレキャスト部材１０は、角柱状の柱状部２１及び柱状部２１から側方に突出する台状部２２を有するコンクリート部２０と、少なくとも１組の外側接合部３１ａ及び内側接合部３１ｂを有する接合部３０と、を備え、外側接合部３１ａは、少なくとも一部に外側接合ループ部３１ａ１が形成され、内側接合部３１ｂは、少なくとも一部に外側接合ループ部３１ａ１に囲まれる内側接合ループ部３１ｂ１が形成される。したがって、プレキャスト部材１０を予め工場等で作成することができ、設置工程及び設置時間を減らしながら、コンクリート製の部材を的確且つ強固に接合することが可能となる。
【０１４９】
また、本実施形態のプレキャスト部材１０では、外側接合ループ部３１ａ１及び内側接合ループ部３１ｂ１は、コンクリート部２０から突出して形成される。したがって、接合部３０をコンクリート部２０で安定して支持することができ、他の部材との接合時により的確且つ強固に接合することが可能となる。
【０１５０】
また、本実施形態のプレキャスト部材１０では、接合部３０は、少なくとも１組の第１外側接合部３１ａ及び第１内側接合部３１ｂを有する第１接合部３１と、少なくとも１組の第２外側接合部３２ａ及び第２内側接合部３２ｂを有する第２接合部３２と、を少なくとも含み、第１接合部３１及び第２接合部３２は一体に形成される。したがって、第１接合部３１及び第２接合部３２で他の部材に接合することができ、他の部材と接合してできる構造物の設計の自由度を増やすことが可能となる。
【０１５１】
また、本実施形態のプレキャスト部材１０では、第１接合部３１及び第２接合部３２は交差する。したがって、第１接合部３１及び第２接合部３２で他の部材に複数の形状で接合することができ、他の部材と接合してできる構造物の設計の自由度をより増やすことが可能となる。
【０１５２】
また、本実施形態のプレキャスト部材１０では、前記柱状部の水平断面は、多角形に形成され、前記多角形を形成する外側面に対応して前記台状部及び前記接合部が形成される。したがって、他の部材と接合してできる構造物の設計の自由度をより増やすことが可能となる。
【０１５３】
また、本実施形態のプレキャスト部材１０では、柱状部２１は、上柱状部２１ｂと下柱状部２１ａを有し、台状部２２は、下柱状部２１ａから側方に突出し、接合部３０は、上柱状部２１ｂから突出し、下柱状部２１ａは、上端に形成された凸部２１１と、凸部２１１の周囲に埋め込まれた下柱鋼管２１２と、下柱鋼管２１２の内側に設置される柱接合部２１３と、を有し、上柱状部２１ｂは、凸部２１１に嵌めこまれる凹部２１４と、凹部２１４の周囲に埋め込まれる上下方向に貫通する複数の中空の上柱鋼管２１５と、を有し、凸部２１１と凹部２１４を嵌めこんだ状態で連続した下柱鋼管２１２と上柱鋼管２１５に挿入された柱状補強部２３を備える。したがって、一体に形成された柱状部に対して、分割して形成された上柱状部２１ｂと下柱状部２１ａは、１つ１つの重量及び寸法がそれぞれ小さいので、容易に運搬及び施工をすることができる。
【０１５４】
本実施形態のコンクリート部材の接合構造１は、プレキャスト部材１０と、直方体のコンクリート部４１及び少なくとも１組の外側被接合部５１ａ及び内側被接合部５１ｂを有する被接合部５１を備え台状部２２の上面に設置される梁４０と、プレキャスト部材１０と梁４０とを接合する接合充填部７０と、を備え、外側被接合部５１ａは、少なくとも一部に外側被接合ループ部５１ａ１が形成され、内側被接合部５１ｂは、少なくとも一部に外側被接合ループ部５１ａ１に囲まれる内側被接合ループ部５１ｂ１が形成され、プレキャスト部材１０と梁４１は、接合充填部７０内において接合部５１の外側接合ループ部３１ａ及び内側接合ループ部３１ｂが形成する仮想面と被接合部５１の外側被接合ループ部５１ａ１及び内側被接合ループ部５１ｂ１が形成する仮想面がそれぞれ並列するように設置される。したがって、設置工程及び設置時間を減らしながら、コンクリート製の部材を的確且つより強固に接合することが可能となる。
【０１５５】
本実施形態のコンクリート部材の接合構造１は、プレキャスト部材１０と、直方体のコンクリート部４１ａ及び少なくとも１組の外側被接合部５１ａ及び内側被接合部５１ｂを有する被接合部５１を備え台状部の上面に設置される梁４０と、プレキャスト部材１０と梁４０とを接合する接合充填部７０と、を備え、外側被接合部５１ａは、少なくとも一部に外側被接合ループ部５１ａ１が形成され、内側被接合部５１ｂは、少なくとも一部に外側被接合ループ部５１ａ１に囲まれる内側被接合ループ部５１ｂ１が形成され、プレキャスト部材１０と梁４０は、接合充填部７０内において接合部３０の外側接合ループ部３１ａ１及び内側接合ループ部３１ｂ１が形成する仮想面と被接合部５０の外側被接合ループ部５１ａ１及び内側被接合ループ部５１ｂ１が形成する仮想面がそれぞれ並列するように設置され、梁４０は、少なくとも第１梁４１及び第２梁４２を含み、被接合部５０は、第１梁４１に形成され、少なくとも１組の第１外側被接合部５１ａ及び第１内側被接合部５１ｂを有する第１被接合部５１と、第２梁４２に形成され、少なくとも１組の第２外側被接合部５２ａ及び第２内側被接合部５２ｂを有する第２被接合部５２と、を少なくとも含む。したがって、設置工程及び設置時間を減らしながら、コンクリート製の部材を的確且つより強固に接合することが可能となる。また、プレキャスト部材１０と梁４０で形成される構造物の設計の自由度を増やすことが可能となる。
【０１５６】
本実施形態のコンクリート部材の接合構造１は、第１コンクリート部２ａ及び第１コンクリート部２ａから突出して形成される接合部３を有する第１部材２と、第２コンクリート部４ａ及び第２コンクリート部４ａから突出して形成される被接合部５を有する第２部材４と、接合部３と被接合部５の少なくとも一部を含むように充填される接合充填部７と、を備え、接合部３は、少なくとも１組の外側接合部３ａ及び内側接合部３ｂを有し、外側接合部３ａは、少なくとも一部に外側接合ループ部３ａ１が形成され、内側接合部３ｂは、少なくとも一部に外側接合ループ部３ａ１に囲まれる内側接合ループ部３ｂ１が形成され、被接合部５は、少なくとも１組の外側被接合部５ａ及び内側被接合部５ｂを有し、外側被接合部５ａは、少なくとも一部に外側被接合ループ部５ａ１が形成され、内側被接合部５ｂは、少なくとも一部に外側被接合ループ部５ａ１に囲まれる内側被接合ループ部５ｂ１が形成され、第１部材２と第２部材４は、接合充填部７内において接合部３の外側接合ループ部３ａ１及び内側接合ループ部３ｂ１が形成する仮想面と被接合部５の外側被接合ループ部５ａ１及び内側被接合ループ部５ｂ１が形成する仮想面がそれぞれ並列するように設置される。したがって、設置工程及び設置時間を減らしながら、第１部材２と第２部材４を的確且つより強固に接合することが可能となる。
【０１５７】
本実施形態のコンクリート部材の接合構造１は、接合部３及び被接合部５に交差するように設置される交差部６を備える。したがって、第１部材２と第２部材４をより強固に接合することが可能となる。
【０１５８】
以上、本発明の種々の実施形態について説明したが、本発明はこれらの実施形態のみに限られるものではなく、これらの詳細な内容に色々なバリエーションや変更を加えてもよい。また、それぞれの実施形態の構成を適宜組み合わせて構成した実施形態も本発明の範疇となるものである。
【符号の説明】
【０１５９】
１…コンクリート部材の接合構造
２…第１部材
３…接合部
４…第２部材
５…被接合部
６…交差部
７…接合充填部
１０…プレキャスト部材
２０…コンクリート部
２１…柱状部
２２…台状部
３０…接合部
４０…梁
５０…被接合部
７０…接合充填部
【図１】
2020090884.tif 000003
【図２】
2020090884.tif 000004
【図３】
2020090884.tif 000005
【図４】
2020090884.tif 000006
【図５】
2020090884.tif 000007
【図６】
2020090884.tif 000008
【図７】
2020090884.tif 000009
【図８】
2020090884.tif 000010
【図９】
2020090884.tif 000011
【図１０】
2020090884.tif 000012
【図１１】
2020090884.tif 000013
【図１２】
2020090884.tif 000014
【図１３】
2020090884.tif 000015
【図１４】
2020090884.tif 000016
【図１５】
2020090884.tif 000017
【図１６】
2020090884.tif 000018
【図１７】
2020090884.tif 000019
【図１８】
2020090884.tif 000020
【図１９】
2020090884.tif 000021
【図２０】
2020090884.tif 000022
【図２１】
2020090884.tif 000023
【図２２】
2020090884.tif 000024
【図２３】
2020090884.tif 000025
【図２４】
2020090884.tif 000026
【図２５】
2020090884.tif 000027
【図２６】
2020090884.tif 000028
【図２７】
2020090884.tif 000029
【図２８】
2020090884.tif 000030
【図２９】
2020090884.tif 000031
【図３０】
2020090884.tif 000032
【図３１】
2020090884.tif 000033
【図３２】
2020090884.tif 000034